(57)【要約】      （修正有）【課題】紙製のものと違って滑りやすいため書きやすく、筆圧に耐える強度が高く、汚れにくい幼児向けのひらがななどの文字を書く練習具を提供する。【解決手段】表面や裏面に印刷されている四角形状の厚紙２０を用意する。厚紙２０に印刷されている文字の大きさと配置が同一の溝状の文字を設けた、ペット製で透明な四角形状の硬質なシート１０を用意する。シート１０の溝状の文字と厚紙２０に印刷されている文字がずれないように、シート１０と厚紙２０を重ねて貼り合わせる。【選択図】図３
0003188850.tif 000002
【実用新案登録請求の範囲】
【請求項１】
なぞる順を示す番号（▲１▼、▲２▼・・・）となぞる方向を示す矢印（→、↓・・・・）が添えて記された一つ以上の文字（２１、２２・・・）が表面や裏面に印刷されている四角形状の厚紙２０と、厚紙２０に印刷されている一つ以上の文字（２１、２２・・・）の大きさと配置が同一の溝状の文字（１１、１２、・・・）を設けたペット製で透明な四角形状の硬質なシート１０を、厚紙２０の印刷されている文字（２１、２２、・・・）とシート１０の溝状の文字（１１、１２、・・・）がずれないように重ねて貼り合わせた幼児向けのひらがななどの文字を書く練習具１。
【考案の詳細な説明】
【技術分野】
【０００１】この考案は、幼児向けのひらがななどの文字を書く練習具に関するものである。
【背景技術】
【０００２】
【先行技術文献】
【０００３】
【考案の概要】
【考案が解決しようとする課題】
【００１０】幼児向けのひらがななどの文字を書く練習具には、紙製や木製がある。
紙製は壊れやすく汚れたりしやすい。
木製はそったり割れたり変形しやすい。
このため、紙製や木製の欠点を補う練習具を開発する必要があった。
【課題を解決するための手段】
【００１１】イ：なぞる順を示す番号（▲１▼、▲２▼・・・）となぞる方向を示す矢印（→、↓・・    ・・）が添えて記された一つ以上の文字（２１、２２・・・）が、表面や裏面に印刷    されている四角形状の厚紙２０を用意する。
ロ：前記の厚紙２０に印刷されている一つ以上の文字（２１、２２・・・）の大きさと配    置が同一の溝状の文字（１１、１２、・・・）を設けた、ペット製で透明な四角形状    の硬質なシート１０を用意する。
ハ：前記のシート１０の溝状の文字（１１、１２、・・・）と前記の厚紙２０の印刷され    ている文字（２１、２２、・・・）がずれないように、前記のシート１０と前記の厚    紙２０を重ねて貼り合わせる。
【考案の効果】
【００２０】本考案は次のような効果を生む。
ニ：シート１はペット製の硬質なシートなので、繰り返し溝をなぞっても、紙製のものと    違って滑りやすく書きやすい。
ホ：シート１はペット製の硬質なシートなので、紙製のものと違って、鉛筆などで繰り返    し溝をなぞっても、筆圧に耐える強度が高い。
ヘ：シート１はペット製の硬質なシートなので、紙製のものと違って、水分がしみたりし    ないので、水やジュースなどがこぼれても汚れにくい。
ト：シート１はペット製の硬質なシートなので、紙製のものと違って、クレヨンや絵の具    などの汚れはふき取りやすい。
【図面の簡単な説明】
【００３０】
【図１】は、本考案の構成材である厚紙２０とシート１０の平面図である。
【図２】は、本考案を作製しようとして厚紙２０にシート１０を重ねようとしている過程を示す平面図である。
【図３】は、本考案の平面図である。
【考案を実施するための形態】
【００４０】以下、本考案を実施するための形態を説明する。
イ：なぞる順を示す番号（▲１▼、▲２▼・・・）となぞる方向を示す矢印（→、↓・・    ・・）が添えて記された一つ以上の文字（２１、２２・・・）が、表面や裏面に印刷    されている四角形状の厚紙２０を用意する。
ロ：前記の厚紙２０に印刷されている一つ以上の文字（２１、２２・・・）の大きさと配    置が同一の溝状の文字（１１、１２、・・・）を設けた、ペット製で透明な四角形状    の硬質なシート１０を用意する。
ハ：前記のシート１０の溝状の文字（１１、１２、・・・）と前記の厚紙２０の印刷され    ている文字（２１、２２、・・・）がずれないように、前記のシート１０と前記の厚    紙２０を重ねて貼り合わせる。
本考案は以上の構成よりなっている。
それを次に詳しく説明する。
【００４１】  初めに、イの「なぞる順を示す番号（▲１▼、▲２▼・・・）となぞる方向を示す矢印（→、↓・・・・）が添えて記された一つ以上の文字（２１、２２・・・）が、表面や裏面に印刷されている四角形状の厚紙２０を用意する。」
について説明する。（図１参照）
【００４２】  文字には書き順があるから、なぞる場合でも書き順と同じでなければならないので、それを▲１▼、▲２▼などの算用数字で示すようにした。
文字には書く方向があるから、なぞる場合でも書く方向と同じでなければならないので、それを→、↓などの矢印で示すようにした。
【００４３】  図示しないが、厚紙２０に印刷する文字は、ひらがな、カタカナ、漢字、アルファベット、ばかりでなく、算用数字、記号、円、多角形、楕円形などの図形の輪郭線、動植物や人物や乗り物や家具類などの輪郭線でもよい。
【００４４】  厚紙２０の形状を四角形にするのは、ひらがなを五十音順に配列しやすいからである。
【００４５】  図示しないが、厚紙２０の形状は四角形状ばかりでなく、円形状、多角形状、楕円形状、動植物や人物や乗り物や家具類などの輪郭線形状でもよい。
【００４６】  厚紙２０の表面や裏面に印刷を施すのは、厚紙２０の表示できる面を十分に生かすためである。
【００４７】  厚紙２０の平面に文字などをあらわすのに印刷という方法をとるのは、それが安価でつくりやすいからである。
【００５１】  次に、ロの「前記の厚紙２０に印刷されている一つ以上の文字（２１、２２・・・）の大きさと配置が同一の溝状の文字（１１、１２、・・・）を設けた、ペット製で透明な四角形状の硬質なシート１０を用意する。」
について説明する。（図１参照）
【００５２】  本考案の目的は、文字をなぞりながら読み方や正しい書き方を覚えて文字を覚えるようにするものであるから、鉛筆などで繰り返し溝をなぞっても、筆圧に耐える強度が必要なので、ペット製で透明な四角形状の硬質なシート１０が適している。
【００５３】  覚えるのは厚紙２０に印刷されている文字（２１、２２・・・）であるから、厚紙２０とシート１０を貼りあわせた場合、厚紙２０の文字（２１、２２・・・）とシート１０の溝状の文字（１１、１２、・・・）の大きさと配置が同一でなければならない。
【００５４】  さらに、厚紙２０とシート１０を貼りあわせた場合、厚紙２０の文字（２１、２２・・・）がなぞる人から見えるためにシート１０は透明でなければならない。これには、ペット製で透明な四角形状の硬質なシート１０が適している。
【００６１】  次に、ハの「前記のシート１０の溝状の文字（１１、１２、・・・）と前記の厚紙２０の印刷されている文字（２１、２２、・・・）がずれないように、前記のシート１０と前記の厚紙２０を重ねて貼り合わせる。」
について説明する。（図１参照）
【００６２】  本考案の目的は、厚紙２０の印刷されている文字（２１、２２、・・・）をシート１０の溝状の文字（１１、１２、・・・）をなぞりながら読み方や正しい書き方を覚えて文字を覚えるようにするものであるから、シート１０を厚紙２０に貼り合わせる場合、シート１０の溝状の文字（１１、１２、・・・）を厚紙２０の印刷されている文字（２１、２２、・・・）がずれないように重ねて貼り合わせることが大切である。
【００６３】  シート１０と厚紙２０を重ねて貼り合わせるには、厚紙２０の文字を印刷した面に透明な粘着剤を施してからシート１０と厚紙２０を重ねて貼り合わせ、熱圧処理する。
【使用例】
【００７０】  ある文字をなぞる場合、なぞる順を示す番号（▲１▼、▲２▼・・・）となぞる方向を示す矢印（→、↓・・・・）が、ある文字に添えて記されているので、それに従いながら、シート１０の溝を鉛筆などの芯でなぞっていけばよい。
【符号の説明】
【００８０】１文字を書く練習具
１０シート      １１溝状の文字      １２溝状の文字
２０厚紙        ２１印刷した文字    ２２印刷した文字
２３なぞる順番号      ２４なぞる方向を示す矢印
２５なぞる順番号      ２６なぞる方向を示す矢印
２７なぞる順番号      ２８なぞる方向を示す矢印
２９なぞる順番号      ３０なぞる方向を示す矢印
【図１】
0003188850.tif 000003
【図２】
0003188850.tif 000004
【図３】
0003188850.tif 000005